(57)【要約】【課題】圧縮機ユニットにおいて、圧縮機の電源ターミナルで発火したとしても、周囲への延焼を抑制する。【解決手段】圧縮機（3）と圧縮機を収容する箱（50）を有する圧縮機ユニットにおいて、圧縮機（3）は、電力の供給を受けるターミナル（60）が側面に形成されている。箱（50）は、上面、および圧縮機（3）の周囲を覆う側面から構成され、上面にのみ圧縮機（3）に接続される配管（3d,3e）を通す穴（55a）が形成されている。ターミナル（60）には、該ターミナル（60）の上面、正面、左右の面を箱（50）内において覆う板金製のカバー（70）が設けられている。【選択図】図６
2019158231.tif 000002
【特許請求の範囲】
【請求項１】
冷媒を圧縮する圧縮機（3）と、
前記圧縮機を収容する箱（50）と、
を備え、
前記圧縮機（3）は、電力の供給を受けるターミナル（60）が側面に形成され、
前記箱（50）は、上面、および前記圧縮機（3）の周囲を覆う側面から構成され、前記上面にのみ前記圧縮機（3）に接続される配管（3d,3e）を通す穴（55a）が形成され、
前記ターミナル（60）には、該ターミナル（60）の上面、正面、左右の面を前記箱（50）内において覆う板金製のカバー（70）が設けられていることを特徴とする圧縮機ユニット。
【請求項２】
請求項１において、
前記カバー（70）は、前記箱（50）に固定されていることを特徴とする圧縮機ユニット。
【請求項３】
請求項１又は請求項２において、
前記カバー（70）の上部には、上から見て、前記ターミナル（60）と前記穴（55a）との間に、下方に向かって延びる折返し（71a）が形成されていることを特徴とする圧縮機ユニット。
【請求項４】
請求項１から請求項３の何れかの圧縮機ユニットと、
前記圧縮機ユニットが有する圧縮機（3）によって冷媒が循環する冷媒回路と、
を備えたことを特徴とする空気調和装置。
【発明の詳細な説明】
【技術分野】
【０００１】
本開示は、圧縮機ユニット及び空気調和装置に関するものである。
【背景技術】
【０００２】
空気調和装置の室外機（圧縮機ユニット）には、冷媒を圧縮する圧縮機に防音箱を備えるものがある（例えば、特許文献１参照）。
【先行技術文献】
【特許文献】
【０００３】
【特許文献１】特開２０１０−１２１８５３号公報
【発明の概要】
【発明が解決しようとする課題】
【０００４】
一般的に、空気調和装置の圧縮機ユニットでは、電源ターミナルを介して電力が供給されており、防災上の観点から、電源ターミナルにおける発火に備えておく必要がある。例えば、前記特許文献の例のように防音箱に覆われた圧縮機では、電源ターミナルが発火したとしても、防音箱の外に炎が出ないのが望ましい。
【０００５】
本開示の目的は、例え、圧縮機ユニットにおいて、圧縮機の電源ターミナルで発火したとしても、周囲への延焼を抑制することにある。
【課題を解決するための手段】
【０００６】
本開示の第１の態様は、
冷媒を圧縮する圧縮機（3）と、
前記圧縮機を収容する箱（50）と、
を備え、
前記圧縮機（3）は、電力の供給を受けるターミナル（60）が側面に形成され、
前記箱（50）は、上面、および前記圧縮機（3）の周囲を覆う側面から構成され、前記上面にのみ前記圧縮機（3）に接続される配管（3d,3e）を通す穴（55a）が形成され、
前記ターミナル（60）には、該ターミナル（60）の上面、正面、左右の面を前記箱（50）内において覆う板金製のカバー（70）が設けられていることを特徴とする圧縮機ユニットである。
【０００７】
第１の態様では、ターミナル（60）において発火したとしても、カバー（70）によって、このカバー（70）よりも上方に炎が伝わらないようにできる。したがって、圧縮機（3）の配管（3d,3e）を通す穴（55a）が箱（50）の上面にのみ形成されていることと相俟って、例え、圧縮機ユニットにおいて、圧縮機（3）のターミナル（60）が発火したとしても、周囲への延焼を抑制することができる。
【０００８】
本開示の第２の態様は、第１の態様において、
前記カバー（70）は、前記箱（50）に固定されていることを特徴とする圧縮機ユニットである。
【０００９】
第２の態様では、カバー（70）が箱（50）に固定されているので、箱（50）を取り付けると、カバー（70）も規定の位置に配置される。
【００１０】
本開示の第３の態様は、第１又は第２の態様において、
前記カバー（70）の上部には、上から見て、前記ターミナル（60）と前記穴（55a）との間に、下方に向かって延びる折返し（71a）が形成されていることを特徴とする圧縮機ユニットである。
【００１１】
第３の態様では、仮に、ターミナル（60）で発火しても、穴（55a）に炎が向かわないように、炎を下方に誘導できる。
【００１２】
本開示の第４の態様は、第１から第３の態様の何れかの圧縮機ユニットと、
前記圧縮機ユニットが有する圧縮機（3）によって冷媒が循環する冷媒回路と、
を備えたことを特徴とする空気調和装置である。
【００１３】
第４の態様では、空気調和装置において、前記圧縮機ユニットが発揮する効果を得ることができる。
【図面の簡単な説明】
【００１４】
【図１】図１は、空気調和装置の構成を示す斜視図である。
【図２】図２は、室外機を背面側から視た斜視図である。
【図３】図３は、室外熱交換器を省略した状態で室外機の内部の概略構造を示す斜視図である。
【図４】図４は、図３のIV−IV線概略断面図である。
【図５】図５は、正面から見た、室外機の内部の概略構造を示す斜視図である。
【図６】図６は、防音箱の縦断面図を示す。
【図７】図７は、防音箱を上方から見た平面図である。
【図８】図８は、防火カバーの斜視図である。
【発明を実施するための形態】
【００１５】
《実施形態》
この実施形態は、空気調和装置に関するものである。図１に、本実施形態の空気調和装置（100）の構成を示す。この空気調和装置（100）は、例えば１台の室外機（1）に複数台の室内機（図示を省略）が連絡配管で接続されて構成されるマルチタイプの空気調和装置である。この空気調和装置（100）の室外機（1）は、例えば、複数台が屋外に並べて設置され、複数台の室内機が接続される。
【００１６】
空気調和装置（100）は、例えばオフィス等の室内空間の冷房と暖房を行う。なお、空気調和装置（100）が空気調和を行う対象空間は、オフィスや住宅などの居室内空間に限られず、物品を保管する倉庫内の空間や、物品を取り扱う作業用空間（例えば、クリーンルーム）などであってもよい。以下では、空気調和装置（100）が備える室外機（1）の構成を中心に説明する。
【００１７】
〈室外機の全体構造〉
室外機（1）は、圧縮機ユニットの一例である。図１は、空気調和装置（100）の室外機（1）を正面側から視た斜視図であり、図２は、室外機（1）を背面側から視た斜視図である。これ等の図に示すように、室外機（1）は、正面側から視て右側に位置する第１ユニット（1A）と左側に位置する第２ユニット（1B）とを備えている。すなわち、第１ユニット（1A）と第２ユニット（1B）は、一体的に構成されている。
【００１８】
空気調和装置（100）の室外機（1）は、縦型直方体のケーシング（2）を備え、このケーシング（2）の内部に冷媒回路の構成部品が収容されている。ケーシング（2）は、下部ケーシング（20）と、上部ケーシング（30）と、前面パネル（40）とを備え、これらが組み合わされて構成されている。
【００１９】
上部ケーシング（30）は下部ケーシング（20）の上に固定されている。前面パネル（40）は、上部ケーシング（30）の上端部から下部ケーシング（20）の下端部までのほぼ全体を覆う縦長の４枚のプレート材（前板）で構成されている。前面パネル（40）は、上部ケーシング（30）と下部ケーシング（20）にまたがって装着されている。
【００２０】
室外機（1）には、圧縮機（3）、室外熱交換器（10）、室外膨張弁（図示せず）、アキュムレータ（4）、オイルセパレータ（5）などの冷媒回路の構成機器と、冷媒回路を制御するための電子部品が収容された制御機器（電装品ボックス（6））などの部品が設けられている。なお、室内機には、室内膨張弁、室内熱交換器などの機器が設けられる。
【００２１】
室外熱交換器（10）は下部ケーシング（20）に設けられている。図３は、室外熱交換器（10）を省略した状態で室外機（1）の内部の概略構造を示す斜視図、図４は、図３のIV−IV線概略断面図である。室外熱交換器（10）は、図２、図４に示すように、第１ユニット（1A）に設けられる第１室外熱交換器（10a）と、第２ユニット（1B）に設けられる第２室外熱交換器（10b）とを含んでいる。
【００２２】
室外機（1）には、圧縮機（3）として、第１圧縮機（3a）と第２圧縮機（3b）が設けられている。これらの圧縮機（3）は、冷媒回路において、冷媒を圧縮する。これらの圧縮機（3）は、それぞれ、下部ケーシング（20）に固定されている。ただし、各圧縮機（3）は、後述の防音箱（50）で覆われているため、図３で視認できない。
【００２３】
これらの圧縮機（3）には、種々の構造のものを採用できる。例えば、圧縮機（3）には、ロータリ式圧縮機構やスクロール式圧縮機構を採用することができる。この例では、各圧縮機（3）は、縦長の円筒状のケーシング（3c）を備えている。各圧縮機（3）は、ケーシング（3c）の上部の鏡板に設けられた吸入管（3d）から流体（冷媒）を吸入し、それを圧縮してケーシング（3c）の側面に設けられた吐出管（3e）から吐出するように構成されている。
【００２４】
また、それぞれの圧縮機（3）は、モータ（図示を省略）をケーシング（3c）に内蔵している。それぞれの圧縮機（3）には、これらのモータに電力を供給するために、電力の供給を受ける電源ターミナル（60）（以下、ターミナルと略記する）が、ケーシング（3c）の側面に設けられている。ターミナル（60）は、被覆電線によって、電装品ボックス（6）内に設けられた電力変換装置（図示を省略）と接続されている。すなわち、圧縮機（3）のモータは、電装品ボックス（6）内の電力変換装置から電力が供給されている。
【００２５】
そして、ターミナル（60）には、防火カバー（70）が設けられている。防火カバー（70）の構成については、後に詳述する。なお、下部ケーシング（20）には、更に、アキュムレータ（4）やオイルセパレータ（5）、及び電装品ボックス（6）などの部品も装着されている。これらの部品は、冷媒回路において一般的に用いられるものであり、ここでは説明を省略する。
【００２６】
上部ケーシング（30）には、空気を上向きに吹き出すように、回転の中心軸が上下方向にのびるファン（7）が収容されている。図示していないが、ファン（7）の下方にはファンモータが設けられている。ファン（7）を回転させると、上記ケーシング（2）の外部から室外熱交換器（10）を通って空気が下部ケーシング（20）内に吸い込まれ、吸い込まれた空気がファン（7）によって上部ケーシング（30）から上向きに吹き出される。
【００２７】
前面パネル（40）は、図１の右側から左側へ向かって配置された、第１前板（41）、第２前板（42）、第３前板（43）、及び第４前板（44）を有している。前面パネル（40）には、連絡配管を通す配管用の開口や点検用の開口、及びカバープレートなどが設けられている。
【００２８】
上述したように、前面パネル（40）の第１前板（41）、第２前板（42）、第３前板（43）、及び第４前板（44）は、それぞれが下部ケーシング（20）の下端から上部ケーシング（30）の上端までを覆う縦長のプレートである。下部ケーシング（20）において、この縦長のプレートに面する空間を、ここでは下部スペース（S1）（第１下部スペース（S1a）及び第２下部スペース（S1b））と呼ぶことにする（図３を参照）。
【００２９】
下部スペース（S1）には、室外熱交換器（10）、圧縮機（3）、電装品ボックス（6）などの部品が配置されている。この縦長のプレートを１枚取り外せば、下部スペース（S1）における圧縮機（3）などの機器や電装品ボックス（6）などの部品のうちの必要なものにアクセスでき、しかもファン（7）やファンモータにもアクセスできる。
【００３０】
〈防音箱〉
図５は、正面から見た、室外機（1）の内部の概略構造を示す斜視図である。図５に示すように、室外機（1）では、第１圧縮機（3a）及び第２圧縮機（3b）のそれぞれに、防音箱（50）が設けられている。これら防音箱（50）は、圧縮機（3）の振動による騒音や、圧縮機（3）のケーシング（3c）から放射される騒音等を低減するために設けられている。図６に、防音箱（50）の縦断面図を示す。図６には、圧縮機（3）も記載してある。
【００３１】
防音箱（50）は、上面、および圧縮機（3）の周囲を覆う側面から構成されている。具体的に、防音箱（50）は、図５や図６に示すように、前壁部（51）、左右の側壁部（52,53）、後壁部（54）、及び上壁部（55）（以下、これらを総称して単に壁部（51,52,53,54,55）とも呼ぶ）を有している。これらの壁部（51,52,53,54,55）のうち、前壁部（51）、左右の側壁部（52,53）、及び後壁部（54）で、圧縮機（3）の周囲を覆っている。
【００３２】
これらの壁部（51,52,53,54,55）は、それぞれ、金属プレートを折り曲げ成形した板金部材によって構成されている。この例では、これらの壁部（51,52,53,54,55）が、ビスなどの締結部材で固定されて防音箱（50）が形成されている。すなわち、防音箱（50）は、下面以外の５面が閉塞された縦長の直方体状に形成されている。なお、それぞれの壁部（51,52,53,54,55）の内面には、例えば、防音材を貼り付けておくとよい。
【００３３】
また、この防音箱（50）では、圧縮機（3）に接続される配管（3d,3e）を通す穴（55a）が上壁部（55）（すなわち防音箱（50）の上面）にのみ形成されている（図６参照）。図７は、防音箱（50）を上方から見た平面図である。図６及び図７に示すように、圧縮機（3）に接続される配管（ここでは、吸入管（3d）や吐出管（3e））は、この穴（55a）から防音箱（50）の外に引き出されている。
【００３４】
〈防火カバー〉
防火カバー（70）は、ターミナル（60）で発火した際に、周囲への延焼を抑制するために設けられている。図８に、防火カバー（70）の斜視図を示す。防火カバー（70）は、防音箱（50）内において、ターミナル（60）の上面、正面、左右の面を覆う板金製のカバーである（図６参照）。具体的には、防火カバー（70）は、ターミナル（60）の上面に面した上板（71）、ターミナル（60）の正面に位置する前板（72）、ターミナル（60）の左右の面に面した２つの側板（73,74）を備えている。すなわち、防火カバー（70）は、下方には開いている。
【００３５】
防火カバー（70）を構成する上板（71）、前板（72）、及び側板（73,74）（以下、これらを総称して単に板部材（71,72,73,74）とも呼ぶ）は、それぞれ、金属プレートよって構成されている。これらの板部材（71,72,73,74）は、それぞれを別の金属プレートで形成してもよいし、一枚の金属プレートを折り曲げて、いくつかの板部材（71,72,73,74）乃至は全体を一体形成してもよい。
【００３６】
防火カバー（70）の上部には、下方に向かって延びる折返し（71a）が形成されている。折返し（71a）は、上板（71）を形成する際に、上板（71）用の板材の端（ターミナル（60）側の端）を下方に向かって折り曲げて形成したものである（図６、図８参照）。すなわち、上板（71）と折返し（71a）とは一体形成されている。この例では、上板（71）は長方形の板であり、折返し（71a）もまた長方形の板である。
【００３７】
そして、本実施形態では、防火カバー（70）を上から見たときに、穴（55a）とターミナル（60）の間に、折返し（71a）が位置するように、防火カバー（70）の上板（71）や側板（73,74）の幅が設定されている（図７を参照）。また、防火カバー（70）は、その前板（72）が、防音箱（50）の前壁部（51）に固定されている。防火カバー（70）の固定法に限定はないが、例えば、ネジ止めや溶接などが考えられる。
【００３８】
〈本実施形態の効果〉
以上の通り、室外機（1）（圧縮機ユニット）は、冷媒を圧縮する圧縮機（3）と、圧縮機（3）を収容する防音箱（50）とを備えている。この圧縮機（3）は、電力の供給を受けるターミナル（60）が側面に形成されている。また、防音箱（50）は、圧縮機（3）の配管（3d,3e）を通す穴（55a）が上部にのみ形成されている。そして、ターミナル（60）には、該ターミナル（60）の上面、正面、左右の面を前記防音箱（50）内において覆う防火カバー（70）が設けられている。
【００３９】
このようにターミナル（60）の上面、正面、左右の面がカバー（70）で覆われているので、本実施形態の室外機（1）（圧縮機ユニット）では、例え、ターミナル（60）において発火したとしても、炎が防火カバー（70）よりも上方に伝わらないようにできる。したがって、防音箱（50）において圧縮機（3）の配管（3d,3e）を通す穴（55a）が上部にのみ形成されていることと相俟って、周囲への炎の延焼を確実に抑制することが可能になる。
【００４０】
また、仮に、ターミナル（60）で発火した場合には、圧縮機（3）内の冷媒が、例えば、ターミナル（60）などから、圧縮機（3）の外に漏れ出す可能性がある。本実施形態では、圧縮機（3）の配管（3d,3e）を通す穴（55a）が上部にのみ形成されているので、冷媒の比重が空気より重たい場合には、圧縮機（3）から漏れ出た冷媒を防音箱（50）内（とりわけ防音箱（50）の下方）に滞留させることができる。そのため、冷媒が不燃性であれば、その冷媒によって、防音箱（50）内で消火ができる。
【００４１】
また、防火カバー（70）は、防音箱（50）に固定されている。そのため、防音箱（50）を下部ケーシング（20）に取り付けると、防火カバー（70）も規定の位置に配置される。すなわち、防火カバー（70）を防音箱（50）に固定したことにより、室外機（1）の組立や、機器（例えば圧縮機（3）等）の点検を容易に行うことができる。
【００４２】
また、防火カバー（70）の上部には、上から見て、ターミナル（60）と穴（55a）との間に、下方に向かって延びる折返し（71a）が形成されている。そのため、仮に、ターミナル（60）で発火しても、穴（55a）に炎が向かわないように、炎を下方に誘導できる。これにより、延焼を効果的に抑制できるのである。
【００４３】
《その他の実施形態》
なお、防火カバー（70）の形状や折返し（71a）の形状は例示であり、前記実施形態で説明したものには限定されない。また、折返し（71a）は、防火カバー（70）本体の構成部品（板部材（71,72,73,74））とは別体の部材で形成してもよい。折返し（71a）を別体の部材で形成した場合は、それを例えば溶接などで防火カバー（70）本体に固定すればよい。
【００４４】
また、防火カバー（70）は、必ずしも防音箱（50）に固定する必要はない。例えば、防火カバー（70）用のブラケットを、別途、下部ケーシング（20）の底板や圧縮機（3）に設けてもよい。
【００４５】
また、室外機（1）が備える構成部品（電装品ボックス（6）等）は例示であり、前記実施形態や変形例で説明したものは必須ではないし、その他の構成部品を設けてもよい。
【００４６】
また、室外機（1）が備える構成部品の配置も例示であり、前記実施形態や変形例で説明したものには限定されない。
【００４７】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００４８】
以上説明したように、本開示は、圧縮機ユニット及び空気調和装置について有用である。
【符号の説明】
【００４９】
１        室外機（圧縮機ユニット）
３        圧縮機
３ｄ      吸入管（配管）
３ｅ      吐出管（配管）
５０      防音箱（箱）
５５ａ    穴
６０      電源ターミナル（ターミナル）
７０      防火カバー（カバー）
１００    空気調和装置
【図１】
2019158231.tif 000003
【図２】
2019158231.tif 000004
【図３】
2019158231.tif 000005
【図４】
2019158231.tif 000006
【図５】
2019158231.tif 000007
【図６】
2019158231.tif 000008
【図７】
2019158231.tif 000009
【図８】
2019158231.tif 000010